【手続補正書】
【提出日】平成17年12月22日(2005.12.22)
【手続補正１】
【補正対象書類名】明細書
【補正対象項目名】発明の名称
【補正方法】変更
【補正の内容】
【発明の名称】電子写真感光体、プロセスカートリッジ及び電子写真装置
【手続補正２】
【補正対象書類名】明細書
【補正対象項目名】特許請求の範囲
【補正方法】変更
【補正の内容】
【特許請求の範囲】
【請求項１】
電子写真感光体の感光層を形成するバインダー樹脂が少なくとも式（１）で示される構成単位を含むポリアリレート樹脂であり、該感光層に体積平均粒径として０．０５μｍ〜１．０μｍであり、該平均粒径に対し±５０％以内の粒径である粒径分布が５０％以上である有機微粒子及び無機微粒子を同時に含有することを特徴とする電子写真感光体。
【化１】
2004219922.tif 000001
（式中、Ｒ1及びＲ2はそれぞれ水素原子、炭素数１〜５のアルキル基、アリール基を示す。フタル酸部位の結合位置は異なる２種以上である）
【請求項２】
前記有機微粒子がフッ素系樹脂微粒子である請求項１に記載の電子写真感光体。
【請求項３】
前記無機微粒子がシリカ微粒子である請求項１又は２に記載の電子写真感光体。
【請求項４】
前記無機微粒子がアルミナ微粒子である請求項１又は２に記載の電子写真感光体。
【請求項５】
前記ポリアリレート樹脂が少なくとも式（１）及び式（２）からなる共重合体である請求項１〜４のいずれかに記載の電子写真感光体。
【化２】
2004219922.tif 000002
（式中、Ｒ3〜Ｒ6はそれぞれ水素原子、炭素数１〜５のアルキル基、アリール基を示す）
【請求項６】
前記ポリアリレート樹脂が少なくとも式（１）及び式（３）からなる共重合体である請求項１〜４のいずれかに記載の電子写真感光体。
【化３】
2004219922.tif 000003
（式中、Ｒ7〜Ｒ11はそれぞれ水素原子、炭素数１〜５のアルキル基、アリール基を示す）
【請求項７】
請求項１〜６のいずれかに記載の電子写真感光体と、該電子写真感光体を帯電させる帯電手段、静電潜像の形成された電子写真感光体をトナーで現像する現像手段及び転写工程後の電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項８】
請求項１〜６のいずれかに記載の電子写真感光体、該電子写真感光体を帯電させる帯電手段、帯電した電子写真感光体に対し露光を行い静電潜像を形成する露光手段、静電潜像の形成された電子写真感光体にトナーで現像する現像手段及び電子写真感光体上のトナー像を転写材上に転写する転写手段を備えることを特徴とする電子写真装置。
【手続補正３】
【補正対象書類名】明細書
【補正対象項目名】０００１
【補正方法】変更
【補正の内容】
【０００１】
【発明の属する技術分野】
本発明は、電子写真感光体、プロセスカートリッジ及び電子写真装置に関し、詳しくは感光層を構成するバインダー樹脂及び微粒子を含有した電子写真感光体、この電子写真感光体を有するプロセスカートリッジ及び電子写真装置に関する。
【手続補正４】
【補正対象書類名】明細書
【補正対象項目名】０００７
【補正方法】変更
【補正の内容】
【０００７】
本発明の目的は、前記の課題を解決することにあり、高速プロセスに対応し、高品質画質が繰り返し使用においても得られる電子写真感光体、該電子写真感光体を有するプロセスカートリッジ及び電子写真装置を提供することである。
【手続補正５】
【補正対象書類名】明細書
【補正対象項目名】０００８
【補正方法】変更
【補正の内容】
【０００８】
【課題を解決するための手段】
本発明に従って、電子写真感光体の感光層を形成するバインダー樹脂が少なくとも式（１）で示される構成単位を含むポリアリレート樹脂であり、該感光層に体積平均粒径として０．０５μｍ〜１．０μｍであり、該平均粒径に対し±５０％以内の粒径である粒径分布が５０％以上である有機微粒子及び無機微粒子を同時に含有することを特徴とする電子写真感光体が提供される。
また、本発明に従って、上記電子写真感光体を具備するプロセスカートリッジ及び電子写真装置が提供される。
【手続補正６】
【補正対象書類名】明細書
【補正対象項目名】０００９
【補正方法】変更
【補正の内容】
【０００９】
【化４】
2004219922.tif 000004
式中、Ｒ1及びＲ2はそれぞれ水素原子、炭素数１〜５のアルキル基、アリール基を示す。フタル酸部位の結合位置は異なる２種以上である。
【手続補正７】
【補正対象書類名】明細書
【補正対象項目名】００１２
【補正方法】変更
【補正の内容】
【００１２】
【化５】
2004219922.tif 000005
式中、Ｒ3〜Ｒ6はそれぞれ水素原子、炭素数１〜５のアルキル基、アリール基を示す。
【手続補正８】
【補正対象書類名】明細書
【補正対象項目名】００１３
【補正方法】変更
【補正の内容】
【００１３】
【化６】
2004219922.tif 000006
式中、Ｒ7〜Ｒ11はそれぞれ水素原子、炭素数１〜５のアルキル基、アリール基を示す。
【手続補正９】
【補正対象書類名】明細書
【補正対象項目名】００２３
【補正方法】変更
【補正の内容】
【００２３】
【化７】
2004219922.tif 000007
【手続補正１０】
【補正対象書類名】明細書
【補正対象項目名】００２４
【補正方法】変更
【補正の内容】
【００２４】
【化８】
2004219922.tif 000008
【手続補正１１】
【補正対象書類名】明細書
【補正対象項目名】００２５
【補正方法】変更
【補正の内容】
【００２５】
【化９】
2004219922.tif 000009
【手続補正１２】
【補正対象書類名】明細書
【補正対象項目名】００２６
【補正方法】変更
【補正の内容】
【００２６】
【化１０】
2004219922.tif 000010
【手続補正１３】
【補正対象書類名】明細書
【補正対象項目名】００５７
【補正方法】変更
【補正の内容】
【００５７】
【化１１】
2004219922.tif 000011
【手続補正１４】
【補正対象書類名】明細書
【補正対象項目名】００５９
【補正方法】変更
【補正の内容】
【００５９】
【化１２】
2004219922.tif 000012
下記式で示されるアミン化合物１部（ＣＴＭ−２）、
【手続補正１５】
【補正対象書類名】明細書
【補正対象項目名】００６０
【補正方法】変更
【補正の内容】
【００６０】
【化１３】
2004219922.tif 000013
バインダー樹脂として上述（合成例）した手法と同様に式（１−３）のポリマーを得て（Ｍｗ＝９００００、テレフタル酸／イソフタル酸の比率＝５／５）、このポリマー１０部をモノクロロベンゼン５０部／ジメトキシメタン２０部に溶解した。この溶液にフッ素樹脂粉末（商品名：ルブロンＬ２、ダイキン工業製）１．０部、アルキルフッ素鎖をグラフトしたアクリルポリマー（商品名：アロンＧＦ３００、東亜合成化学）０．０５部をクロロベンゼン１０部を用いて、ガラスビーズ（φ１．０ｍｍ：東芝製ＧＢ２０１Ｍ＝質量換算で５部）を用いたサンドミル分散（ピン付き円形ディスク４枚、周速＝２５ｍ／分、３時間、２５℃冷却水ジャケット付）で予め分散させた液（分散後平均粒径：０．２５μｍ／０．１３〜０．３７μｍ比＝７２％）を加えた。更に、疎水化シリカパウダー（商品名：ＫＭＰＸ−１００、信越化学（株））１．０部、モノクロロベンゼン１０部を用いて、高速液衝突型分散機（ＭＦ−１００：マイクロフルイダイザー社製：分散圧＝６００ｋｇ／ｃｍ2、冷却水２５℃）で予め分散させた液（分散後平均粒径：０．１５μｍ／０．０８〜０．２２μｍ比＝６１％）を加えた。この様にして得た電荷輸送層用の塗布液を前記の電荷発生層の上に浸漬塗布法で塗布し、１２０℃で１時間乾燥し、膜厚が２２μｍの電荷輸送層を形成した。
【手続補正１６】
【補正対象書類名】明細書
【補正対象項目名】００７５
【補正方法】変更
【補正の内容】
【００７５】
【化１４】
2004219922.tif 000014
【手続補正１７】
【補正対象書類名】明細書
【補正対象項目名】００８２
【補正方法】変更
【補正の内容】
【００８２】
【化１５】
2004219922.tif 000015
【手続補正１８】
【補正対象書類名】明細書
【補正対象項目名】００９５
【補正方法】変更
【補正の内容】
【００９５】
【化１６】
2004219922.tif 000016
【手続補正１９】
【補正対象書類名】明細書
【補正対象項目名】０１１５
【補正方法】変更
【補正の内容】
【０１１５】
【化１７】
2004219922.tif 000017